(57)【要約】【課題】  電源内蔵型の音声データ記録装置において、電源部の残り電力又は／及び記録媒体の残り容量が予め設定した値以下になった際に、光を使わず、且つ、音声記録に影響を与えずにその旨をユーザーに報せることを目的とする。【解決手段】  音声データ記録装置１は、電源部１１の残り電力又は／及び記録媒体１６，１７の残り容量を検出部である制御部９が検出し、予め設定した値以下となった際には、信号出力部２９を介して可聴域外の音声を音声出力部３０から出力するように構成した。  【選択図】  図１
2010139907.tif 000002
【特許請求の範囲】
【請求項１】
ピックアップした音声をデータとして記録する音声データ記録手段と、その音声データ記録手段の記録媒体の残り容量を検出する第１の検出部と、装置本体に内蔵され、電力を供給することで当該装置を機能させる電源部と、その電源部の電力の残量を検出する第２の検出部と、前記第１の検出部の検出した残りの記録容量又は／及び第２の検出部の検出した電力が予め設定した値になった際にその旨の警告信号を出力する警告信号出力部と、その警告信号出力部からの警告信号を受けて警告の音声を発する音声出力部が備えられ、
上記音声出力部から発せられる音声の周波数が、ヒトの音声可聴帯域から外れた値であることを特徴とする音声データ記録装置。
【請求項２】
上記発音部が、上記装置本体に対して着脱可能であることを特徴とする請求項１に記載の音声データ記録装置。
【請求項３】
上記電源部で実質的に電力を供給する電池と上記音声データ記録手段によって音声データが記録される記録媒体が上記装置本体に対して着脱可能であって、且つ、それら電池又は／及び記録媒体は複数個が上記装置本体に装着可能であり、更に、複数個の電池が上記本体内に収納されている場合に一の電池の電力の残量が一定以下になった際には二の電池に電力の供給が切り替わり、複数個の記録媒体が上記本体内に収納されている場合に一の記録媒体の記録可能な残り容量が一定以下になった際には二の記録媒体にデータ記録の対象が切り替わる構成である請求項１又は請求項２に記載の音声データ記録装置。
【発明の詳細な説明】
【技術分野】
【０００１】
この発明は、内部電源が備えられ、連続的に音声を記録する音声データ記録装置に関する。
特に、音声データ記録装置であって、連続使用時において内部電源の電力が一定の値以下になって音声の記録が難しくなること、或いは、記録媒体の空き容量が一定以下となって記録そのものが難しくなることを警告する機能の改良に関する。
【背景技術】
【０００２】
音声を記録する音声データ記録装置は、音声を電気信号に変換して記録する手段、音声に係るデータを記録しておく記録媒体等の小型軽量化が進み、高性能ながらも装置全体が軽薄短小化してポータプルタイプの装置が普及している。
ポータブルタイプの音声データ記録装置では、当然ながら、電源は乾電池又は二次電池の内蔵型の電源が選択して使用されている。
【０００３】
音声データ記録装置ではないが、ポータブルタイプの電気・電子機器であって、電源が内蔵型である装置として以下の文献が知られている。
【０００４】
【特許文献１】特開平１０−１０８０９９号公報
【発明の開示】
【発明が解決しようとする課題】
【０００５】
特許文献１で開示の発明は、機能させている際に、装置駆動電源であるバッテリーの残量が一定以下になって突然に機能が停止になることを回避することを目的として、バッテリーの残量を所定時間間隔でチェックし、設定したしきい値以下になった場合に、ＬＣＤで警告メッセージを表示し、且つ、画像通信を停止して消費電力を抑え、このことによって突然の機能停止を防止するものである。
然るに、例えば、迷彩色の服装を着用し森林に分け入って野鳥の鳴き声を音声データ記録している場合には、何らかの報知のためにＬＣＤ等の光を使った警告が機能すると、音声データ記録対象の野鳥に警戒心を生じさせて平常時の鳴き声で鳴くことを止めさせたり、その場から飛び去って行き鳴き声記録が出来なくなる原因を作ることになり、光を使った警告は好適ではないという問題がある。
【０００６】
電気・電子装置にトラブルが発生したり、電池が切れ始めることを警告する場合に、通常、ブザー音などの音声或いはランプ点灯などの光によって行われる。
しかし、音声データ記録装置では、警告を音声を用いて報せるとその警告の音声が記録されることになり、再生した際に警告の音声も一緒に再生されることになって、本来記録を所望した音声のみを再生することが得られないという問題が生じる。
【０００７】
つまり、使用者にとって手軽で確実に認知できる警告としての光と音声が使用できない場合が生じる。
この発明は、上記の事情に鑑みて為されたものであり、内蔵する電源の電力の残量が所定以下になって電源の交換時期を警告したり、装置の機能等にトラブルがあってその旨を警告する際に、光を発することで使用者に警告するのではなく、又、再生した際に警告を示す音声が一緒に再生されることのない音声データ記録装置を提供するものである。
【課題を解決するための手段】
【０００８】
この発明は、警告としてヒトにとって音声可聴帯域から外れた周波数の音声を発する構成の音声データ記録装置である。
その詳細な構成は、ピックアップした音声をデータとして記録する音声データ記録手段と、その音声データ記録手段の記録媒体の残り容量を検出する第１の検出部と、装置本体に内蔵され、電力を供給することで当該装置を機能させる電源部と、その電源部の電力の残量を検出する第２の検出部と、前記第１の検出部の検出した残りの記録容量又は／及び第２の検出部の検出した電力が予め設定した値になった際にその旨の警告信号を出力する警告信号出力部と、その警告信号出力部からの警告信号を受けて警告の音声を発する音声出力部が備えられ、上記音声出力部から発せられる音声の周波数が、ヒトの音声可聴帯域から外れた値であることを特徴とする音声データ記録装置である。
【０００９】
尚、上記音声出力部から発せられる音声の周波数は、ヒトの音声可聴帯域のみならず、音声データの記録対象である動物、野鳥等にとっての音声可聴帯域から外れた値であることが望ましい。
斯かる構成によって、音声データの記録対象である動物、野鳥等が前記音声出力部からの警告の音声に影響を受けるという虞が生じないからである。
【００１０】
音声データを記録する記録媒体は具体的に、フラッシュメモリが挙げられる。
又、この発明の音声データ記録装置は、前記電源部で実質的に電力を供給する電池と前記音声データ記録手段によって音声データが記録される記録媒体が前記装置本体に対して着脱可能であって、且つ、それら電池又は／及び記録媒体は複数個が前記装置本体に装着可能であり、更に、複数個の電池が前記本体内に収納されている場合に一の電池の電力の残量が一定以下になった際には二の電池に電力の供給が切り替わり、複数個の記録媒体が前記本体内に収納されている場合に一の記録媒体の記録可能な残り容量が一定以下になった際には二の記録媒体にデータ記録の対象が切り替わる構成が付加されたものが挙げられる。
【００１１】
音声データ記録装置は、記録した音声を再生して出力する再生手段を備えて構成したものが挙げられる。
発音部は、具体的に、ヒトの音声可聴帯域から外れた音声を出力する再生部を備えたものが挙げられる。
発音部は、装置本体に対して着脱可能であり、装置本体と別体の状態では使用者の手首に保持させる。そして、発音部が出力する際は使用者が手首に振動を感じて、警告が出力されたことを知ることが可能である。
【発明の効果】
【００１２】
この発明は、機能上で警告すべき事態が生じた際に、ヒトの音声可聴帯域から外れた周波数の音声を出力して警告を報せるように構成したことから、光による警告が不可能な場合であっても使用者に警告することが可能であり、又、再生した際にその警告を示す音声が再生音として認知されないことから実質的に記録対象の音声のみが再生されて、警告が行われ得る音声データ記録装置である。
【発明を実施するための最良の形態】
【００１３】
この発明を、図と共に実施の最良の形態によって説明を行う。しかし、この形態によって、この発明は限定されるものではない。
音声データ記録装置１は図１及び図２に示すように、装置本体を構成するケーシング２と、マイクロフォン３，４と、アンプ５と、Ａ／Ｄ変換器６と、ＤＳＰ（デジタルシグナルプロセッサ）７と、バッファメモリ８と、制御部９と、操作部１０と、電源部１１と、表示部１２と、Ｄ／Ａ変換器１３と、アンプ１４及びスピーカ１５が備えられている。  
【００１４】
ここで、ピックアップした音声をデータとして記録する音声データ記録手段は、マイクロフォン３，４と、アンプ５と、Ａ／Ｄ変換器６と、ＤＳＰ７と、バッファメモリ８と、制御部９と、操作部１０等から構成されている。
又、音声データ記録装置１は、Ｄ／Ａ変換器１３と、アンプ１４及びスピーカ１５等によって構成され、記録された音声データを再生して出力する再生出力手段も備えられている。
【００１５】
尚、１６，１７は、音声データを記録する記録媒体である。記録媒体１６，１７は具体的にフラッシュメモリであって、ケーシング２に開設した開口（図示省略）を通して、音声データ記録装置に１に係る回路に接続可能な状態である装着の状態と、接続可能な状態から解除された状態である離脱の状態を取ること、つまり、着脱が可能になっている。
１８は、矢印Ａ方向に回動することによって前記開口に開状態と閉状態を取らせる蓋体である。
【００１６】
音声データ記録装置１では、二つの音声データを記録媒体１６，１７のいずれか一方にに記録していてメモリの残量がなくなると、記録媒体１６，１７の他方に連続して音声データを記録するように構成されている。
従って、記録媒体１６，１７の一方が音声データで満杯になってデータの記録の対象が他方に切り替わると、ユーザーは音声データの記録が満杯になった方の記録媒体を音声データ記録装置から取り出し、データ記録用の容量がまだ満杯になっていない記録媒体に切り替えることによって、音声データの記録時間を延長させることが可能になっている。
【００１７】
１９，２０，２１，２２及び２３は、音声に係るデータを送るためのバスである。
電源部１１は、各部が所定通りに機能するように、対応する電圧の電気を供給するものである。２４，２５は、電源部１１から各部に電力を供給するための電力供給ラインである。
【００１８】
電源部１１は交換可能な電池パック２６，２７が音声データ記録装置１に装着可能に構成され、且つ、音声データ記録装置１に電池パック２６，２７が装着されるとそれらのいずれか一方から電力が供給される。
音声データ記録装置１の使用に伴い電源部１１の電力の供給が予め設定した値よりも低下すると、つまり、制御部９が電源部１１からの電圧をモニタニングしていて予め設定した電圧の値より低いと判断すると、音声データ記録装置１の機能している状態が保持できないと判断されて制御部９は電力の供給元を電池パック２６，２７のうちで現在使用の一方から他方に切り替えるように構成されている。
【００１９】
音声データ記録装置１は、更に、電源部１１の電力が不足したり記録媒体１６，１７の記録可能な容量が少なくなり、このことによってユーザーが気付かずに音声データの記録が中止することを回避するために、電源部１１の電力又は／及び記録媒体１６，１７の記録可能容量が予め設定した値以下となった際に、ユーザーに警告する手段が備えられている。
つまり、具体的には、制御部９は、電力供給ライン２５とは別個に備えられた電圧検出ライン２８を介して電源部１１の電池パック２６，２７の電圧に基づいて残りの電力を検出し、且つ、ＤＳＰ７からメモリ１６，１７の記録可能な残り容量を検出する構成になっている。
【００２０】
尚、第１の検出部としての制御部９が行う電源部１１の残りの電力を検出する手段は、電源部１１に装着された電池パック２６，２７が電力の消費と共に電圧が低下することから、電力の消費に対応して低下する電圧を検出することに基づいてその時点での残りの電力を得る構成になっている。
又、第２の検出部としての制御部９が行うメモリ１６，１７の残りの記録可能な容量を検出する手段は、メモリー１６，１７からＤＳＰ７を介してそれぞれの総容量とそれぞれの使用量の情報を受け取り、残り容量を算出する構成になっている。
【００２１】
音声データ記録装置１は、上記第１の検出部又は／及び上記第２の検出部が音声データの記録の続行が難しいとなると、その旨をユーザーに報知するための信号出力部２９と音声出力部３０が備えられている。
信号出力部２９は、制御部９と接続され、上記二つの検出部としての制御部９が音声データの記録の続行に問題があると検出した際にその旨の信号を受けると、音声出力部３０に音声出力の制御信号を送るものである。
【００２２】
音声出力部３０は、信号出力部２９からの信号を受けると、周波数がヒトの音声可聴帯域から外れた値の音声を出力するものである。
尚、音声出力部３０は、音声出力部と駆動用電源（共に図示省略）が内蔵されていて、周波数が８〜１０ヘルツの音声を出力するものである。
【００２３】
音声出力部３０は、装置本体であるケーシング２に対して着脱可能な構成であり、ケーシング２に設けた溝部３１に矢印Ｂ方向にスライドして着脱する。
溝部３１は、アリ溝の形状に形成されていて、嵌合一体化した音声出力部３０を押圧保持するための板バネ３２が配設されている。
【００２４】
音声データ記録装置１には、マイクロフォン３，４の集音方向、つまり、装置本体に対するマイクロフォン３，４の方向を連動して変える手段が備えられている。
３３は、ケーシング２に対してマイクロフォン３，４の方向を変えるための操作回転板である。操作回転板３３を回転操作することによって、マイクロフォン３，４はケーシング２に対して同じ角度だけ連動して互いに開閉方向（矢印Ｃ方向）に回転する構成になっている。
３４は、外付けマイクロフォンの入力用ジャックである。
【００２５】
音声データ記録装置１の全体及び各部は、上述したように構成されている。以下において、音声データ記録装置１の機能を説明する。
ユーザーは、ケーシング２の底部から電池パック２６，２７を音声データ記録装置１に装着する。
【００２６】
ユーザーは、ケーシング２の溝部３１に嵌合されている音声出力部３０をスライドさせて取り出して、音声の出力部位３０ａが胸部に密着状態で位置するように着用している胸ポケット内に保持する。
ここで、ユーザーは操作部１０のメインスイッチ（図示省略）をＯＦＦからＯＮに切り替えて、音声データの記録を試みる。
【００２７】
音声データ記録装置１において機能の立ち上がりで、検出部としての制御部９は、記録媒体の残りの容量を検出するが記録媒体が装着されていないから記録可能な容量が０ということを受けて、音声データの記録の続行が不可能ということに基づき、信号出力部２９に警告の信号を出力させる制御信号を送る。
ここで、信号出力部２９は、音声出力部３０に音声を出力させる制御信号を送る。
【００２８】
音声出力部３０は、信号出力部２９からの制御信号に基づき、音声の出力部位３０ａがヒトの音声可聴帯域から外れている８ヘルツの音声を出力する。
ここで、ユーザーは、音声の出力部位３０ａからの８ヘルツの音声を振動として受け取って、記録媒体の記録可能な容量が不十分であることの警告の機能が正常であることの確認ができる。
【００２９】
続いて、ユーザーは上記メインスイッチをＯＮからＯＦＦに切り替え、蓋体１８を回転して開状態にし、記録媒体１６，１７を音声データ記録装置１のメモリ用の所定箇所に装着する。
ここで、音声データ記録装置１は、回路として記録媒体１６，１７が接続可能な状態になっている。つまり、音声データ記録装置１は、回路として電池パック２６，２７が接続状態で且つ記録媒体１６，１７が接続された状態になり、結果的に、図２で示す回路構成の状態となる。
【００３０】
ユーザーは、音声データ記録装置１が機能可能な状態になっているので、音声データの記録の対象となる音源に向けて音声データ記録装置１を位置してスタンド（図示省略）に固定し、更に、操作回転板３３の操作によってマイクロフォン３，４を矢印Ｃ方向に回転させ、野鳥の水飲み場の方向に集音方向を調節する。
ここで、ユーザーは操作部１０から録音レベル、音質等の調整を行った後、音声データの記録をスタートさせてから、その場を離れる。
【００３１】
音声データ記録装置１は、マイクロフォン３，４がピックアップした音声である野鳥の鳴き声をアナログの電気信号に変換し、更に、そのアナログ電気信号をアンプ５に送る。
アンプ５は、マイクロフォン３，４からのアナログ電気信号をユーザーが設定したレベル等を対応して増幅し、Ａ／Ｄ変換器６に送る。
Ａ／Ｄ変換器６は、入力されたアナログ信号を音声に係るデジタルデータに変換する。
【００３２】
ここで、前記音声に係るデジタルデータは、バス１９、ＤＳＰ７及びバス２１を介してバッファメモリ８に送られる。
バッファメモリ８は、送られて来たデジタルデータを、バス２２を介して、この時点で選択されている記録媒体１６にバッファリングして送る。
ここで、マイクロフォン３，４がピックアップした音声は、デジタルデータとして記録媒体１６に記録される。
【００３３】
マイクロフォン３，４がピックアップした音声（野鳥の鳴き声）は、連続的にデジタルデータとして記録媒体１６に記録され続けるが、記録媒体１６の記録可能な領域（容量）がごく僅かになると、検出部として機能する制御部９がデジタルデータを記録するメモリを記録媒体１７に切り替える。
ここで、マイクロフォン３，４がピックアップしている音声（野鳥の鳴き声）は、連続的にデジタルデータとして記録媒体１７に記録され続ける。
【００３４】
音声データ記録装置１の記録機能が続くと、記録媒体１７の記録可能な領域（容量）が減少し僅かになると、検出部としての制御部９が記録媒体１７の残りの容量が少ないということを検出して、信号出力部２９に警告の信号を出力させる制御信号を送る。
ここで、信号出力部２９は、音声出力部３０に音声を出力させる制御信号を送る。
【００３５】
信号出力部２９は、音声出力部３０に音声を出力させる制御信号を送る。
ここで、音声出力部３０は、信号出力部２９からの制御信号に基づき、音声の出力部位３０ａがヒトの音声可聴帯域から外れている８ヘルツの音声を出力する。
【００３６】
ユーザーは、音声の出力部位３０ａからの８ヘルツの音声を振動として受け取ると、その振動が記録媒体１７の記録可能な容量が残り少なくなっている旨の警告と捉える。
次に、ユーザーは、音声データ記録装置１の蓋体１８をゆっくり静かに開け、記録媒体１６を取り出して記録可能な容量が十分な記録媒体に交換する。
【００３７】
記録媒体１７は、記録可能な容量がごく僅かになると、検出部としての制御部９が斯かる容量の状態を検出し、記録媒体１６に代わって装着された新しい記録媒体へのデータ記録へと切り替えの制御を行う。
ここで、音声データ記録装置１は、音声データの記録可能な時間が延長されたことになる。
【００３８】
そして、記録媒体１７の記録可能な容量が残り少ないという旨の警告を送る際に、ヒトの音声可聴帯域から外れた音声を用いてユーザーに伝えているので、警告ランプなどの光を使用している場合であれば集音対象の野鳥がその光に強い違和感を感じてその場を離れるといった事態が生じず、野鳥の鳴き声を音声データとして記録し続けることが可能になっている。
又、ユーザーに伝えられる警告の音声は可聴帯域の外の音声であるから、例え、音声出力部３０がマイクロフォン３，４に近い位置にあっても、音声データとして記録されて再生される際にヒトの可聴帯域外の音声として再生されるので、録音対象である野鳥の鳴き声に雑音や不要な音声として再生出力されることはない。
【００３９】
他方、電源部１１の電源パック２６，２７は、音声データ記録装置１が機能する際にいずれか一方が電力を供給する。
この時、電圧の検出部として機能する制御部９は、電圧検出ライン２８を介して電源部１１の電池パック２６，２７の電圧に基づいて残りの電力を検出している。
【００４０】
この時、例えば電源パック２６が電力を供給していてその電力が減少して行くと、制御部９は、電圧検出ライン２８を介しての電圧の値が予め設定した値であると判断した時点で音声データ記録装置１が電力不足で正常に音声データの記録機能を保証できないということから、電源部１１において電池パック２６から電池パック２７に切り替える制御信号を送る。
ここで、電源部１１では、電力供給用として電池パック２６から電池パック２７に切り替わる。従って、音声データ記録装置１は、音声データ記録の機能が続行可能となる。
【００４１】
音声データ記録装置１を更に使用を続けると、電池パック２７の電力も減少しこのままでは音声データ記録装置１が正常に機能しなくなると、検出部としての制御部９は、電圧検出ライン２６からの電気の電圧から検出すると、信号出力部２９に警告の信号を出力させる制御信号を送る。
ここで、信号出力部２９は、音声出力部３０に音声を出力させる制御信号を送る。
【００４２】
信号出力部２９は、音声出力部３０に音声を出力させる制御信号を送る。
ここで、音声出力部３０は、信号出力部２９からの制御信号に基づき、音声の出力部位３０ａがヒトの音声可聴帯域から外れている８ヘルツの音声を出力する。
【００４３】
ユーザーは、音声の出力部位３０ａからの８ヘルツの音声を振動として受け取ると、その振動が記録媒体１７の記録可能な容量が残り少なくなっている旨の警告と捉える。
そこで、ユーザーは、音声データ記録装置１電源部１１の電池パック２６を取り出して電力量が十分な新しい電池パックに交換する。
【００４４】
従って、音声データ記録装置１では、前記新しい電池パックの電力分だけ、音声データの記録が可能な時間が延長されたことになる。
そして、音声データ記録装置１では、記録媒体１６の交換の際に得られたと同じ効果が得られる。
【００４５】
尚、音声出力部３０は、機能の出力つまりヒトの音声可聴帯域から外れた周波数の音声を発する構成として、音声出力部３０に内蔵された８ヘルツの音声の出力手段とこの出力手段を機能させる電池を備えて構成されている。
音声データ記録装置１を記録した音声データの再生手段として機能させる場合は、表示部１２の表示内容に基づき操作部１０を操作することによって所望の音声データを特定すると、記録媒体１６，１７から対応する音声データがバッファメモリ８に読み出され、その音声データはバッファリングを受けながらバス２１、ＤＳＰ７、バス１９を介してＤ／Ａ変換器１３に送られる。
【００４６】
Ｄ／Ａ変換器７は、音声データを受け取るとアナログの音声信号に変換し、そのアナログの音声信号をアンプ１４に送る。
アンプ１４は、受け取った音声に係るアナログ信号をユーザーの所望したレンジに増幅し、そのアナログ信号をスピーカ１５に送る。
ここで、スピーカ１５は、ユーザーが所望した音声データを所望したレベルで再生音として出力する。
【００４７】
音声データ記録装置１では、ＤＳＰ７とバッファメモリ８の音声データのアクセスは直接に行う構成であるが、制御部９を介した構成であってもよい。
電源部１１に装着される電池パック２６，２７の電力の容量及び記録媒体１６，１７の最大記録容量は、音声データの記録対象、携帯の利便性、装置全体の大きさに対応して適宜選択設計することが望ましい。
【図面の簡単な説明】
【００４８】
【図１】この発明の実施の最良の形態であって、電池パックと記録媒体が装着された状態の構成を説明するブロック図である。
【図２】図１に示す形態の全体斜視図である。
【符号の説明】
【００４９】
１          ：  音声データ記録装置
２          ：  ケーシング
３，４      ：  マイクロフォン
５，１４    ：  アンプ
６          ：  Ａ／Ｄ変換器
７          ：  ＤＳＰ
８          ：  バッファメモリ
９          ：  制御部（第１の検出部、第２の検出部）
１０        ：  操作部
１１        ：  電源部
１２        ：  表示部
１３        ：  Ｄ／Ａ変換器
１５        ：  スピーカ
１６，１７  ：  記録媒体
２６，２７  ：  電池パック
２９        ：  信号出力部
３０        ：  音声出力部
【図１】
2010139907.tif 000003
【図２】
2010139907.tif 000004